(57)【要約】【課題】足における常に意識が及ぶ位置に付けて携行できるような足のお守りを提供する。【解決手段】靴５１における靴紐５２が通る紐穴５３を有する部分５４に重ねられる大きさの板状をなす本体部１２を備え、本体部１２に、靴紐５２を挿通するのに相応しい大きさの貫通穴１３を形成する。本体部１２と貫通穴１３は平面視円形であり、貫通穴１３は本体部１２の中央に形成する。全体が柔軟性を有する合成樹脂で形成され、本体部１２の片面である表面に浮き出しによる表示１４を設ける。【選択図】図５
0003234814.tif 000002
【実用新案登録請求の範囲】
【請求項１】
靴における靴紐が通る紐穴を有する部分に重ねられる大きさの板状をなす本体部を備え、
前記本体部に、靴紐を挿通するのに相応しい大きさの貫通穴が形成された
足のお守り。
【請求項２】
前記本体部と前記貫通穴が平面視円形であり、
前記貫通穴が前記本体部の中央に形成された
請求項１に記載の足のお守り。
【請求項３】
全体が柔軟性を有する材料で形成された
請求項１または請求項２に記載の足のお守り。
【請求項４】
前記本体部の片面である表面に、表示が設けられた
請求項１から請求項３のうちいずれか一項に記載の足のお守り。
【請求項５】
前記表示が浮き出しで形成された
請求項４に記載の足のお守り。
【請求項６】
前記表示が、梅をモチーフにして５枚の花弁が等間隔に円を描いて並んだ模様であるとともに、
前記表示の中心と前記貫通穴の中心を一致させた
請求項４または請求項５に記載の足のお守り。
【請求項７】
前記表示が合成樹脂の二色成形で形成された
請求項４から請求項６のうちいずれか一項に記載の足のお守り。
【請求項８】
少なくとも一部に蓄光顔料を含有している
請求項１から請求項７のうちいずれか一項に記載の足のお守り。
【請求項９】
前記貫通穴の内側に、靴紐と接触して変形する抵抗付与部が形成された
請求項１から請求項８のうちいずれか一項に記載の足のお守り。
【請求項１０】
請求項１から請求項９のうちいずれか一項に記載の足のお守りが台紙の表面に載置されるとともに、
前記台紙に対して縫い付けられる１本の糸で保持された
足のお守り包装体。
【考案の詳細な説明】
【技術分野】
【０００１】
この考案は、お守りに関し、より詳しくは足の神様のご神徳により足をご守護いただく足のお守りに関する。
【背景技術】
【０００２】
足のお守りとしては、通常のお守り袋の表面に足の模様を入れたものや、草鞋をかたどった部材を袋に入れたり根付のように構成したりしたものが知られている。
【０００３】
これらのお守りは、身に付けたりカバンや杖などに付けたりして携行される。
【考案の概要】
【考案が解決しようとする課題】
【０００４】
しかし、そもそもお守りは、願い事に合わせてお祓いを行い、神様のお神霊（みたま）をお遷し（うつし）したものであって、願い事の対象の近くに置かれてご加護を感じられるようにするのが望ましい。スポーツをする人にとっては、「快走できますように」、「けがのないように」などと願い、けがや病気をした人にとっては、「早く回復しますように」、「歩けるようになりますように」などと願い、足をいたわる。
【０００５】
このようなときに、袋型のお守りや根付のようなお守りでは足に付けられないので、近くに感じにくい。
【０００６】
そこで、この考案は、足における常に意識が及ぶ位置に付けて携行できるような足のお守りを提供することを主な目的とする。
【課題を解決するための手段】
【０００７】
そのための手段は、靴における靴紐が通る紐穴を有する部分に重ねられる大きさの板状をなす本体部を備え、前記本体部に、靴紐を挿通するのに相応しい大きさの貫通穴が形成された足のお守りである。
【０００８】
この構成では、足のお守りは、本体部の貫通穴に結びをほどいた靴紐の一端側を通すことで靴における紐穴を有する部分の表面に重ねられ、靴紐を結ぶことで保持される。足のお守りは靴紐の紐穴から出ている部分において小さいながらもその存在を示す。
【考案の効果】
【０００９】
この考案によれば、神様のお神霊（みたま）をお遷し（うつし）した足のお守りは、足を保護する靴の良く見える位置に取り付けられて、足と常に一体となる。このため、足の神様のご加護をより良く看取できるようにすることができる。
【図面の簡単な説明】
【００１０】
【図１】足のお守り包装体の正面図。
【図２】足のお守りの斜視図と正面図。
【図３】足のお守りの斜視図。
【図４】足のお守り包装体の断面構造を示す説明図。
【図５】足のお守りの取り付け方を示す斜視図。
【図６】他の例に係る足のお守りの断面図。
【考案を実施するための形態】
【００１１】
この考案を実施するための一形態を、以下図面を用いて説明する。
【００１２】
図１に、足のお守り１１を包装した足のお守り包装体３１の正面図を示す。この図に示すように足のお守り包装体３１には、足のお守り１１が縦に２個並べて保持されている。
【００１３】
まず、足のお守り１１について説明する。
【００１４】
足のお守り１１は、図２の（ａ）に斜視図で示したように、板状をなす本体部１２を備え、本体部１２には貫通穴１３が形成された構成である。具体的には、本体部１２は靴における靴紐が通る紐穴を有する部分に重ねられる大きさに形成されており、貫通穴１３は靴紐を挿通するのに相応しい大きさに形成されている。
【００１５】
本体部１２と貫通穴１３は平面視円形であり、貫通穴１３の形成位置は本体部１２の中央である。このため、足のお守りおおよそドーナツ型もしくはトローチ型と言い得る形状である。
【００１６】
本体部１２は前述の大きさであるので、その直径は例えば１０ｍｍ〜１５ｍｍ程度に設定されることになり、好ましくは１２ｍｍ程度であるとよい。貫通穴１３は、靴紐には様々な太さや形のものがあるが、前述のような大きさであるので、例えば３ｍｍから５ｍｍ程度に設定されることになり、好ましくは４ｍｍ程度であるとよい。本体部１２の厚みは数ｍｍ程度に設定される。
【００１７】
この足のお守り１１は合成樹脂や紙、木、竹などの適宜の材料で形成し得るが、全体が柔軟性を有する材料で形成されるのが望ましい。これは、靴の形状に対応し得るからである。
【００１８】
好適には、軟質の合成樹脂（ゴムを含む）を成形して形成される。図２の（ｂ）は足のお守り１１の正面図であり、この図に仮想線で示したように、軟質の合成樹脂で形成することで、足のお守り１１は全体が湾曲変形可能であり、厚み方向に押圧すれば凹む変形も可能である。
【００１９】
本体部１２は大きさの関係上、中実に形成されるとよいが、必要であれば中空や、裏面側に盗み溝を有する形状に形成してもよい。
【００２０】
本体部１２の片面である表面１２ａには、表示１４が設けられる。表示１４は、神様のお神霊を表現したものや、願いを表したもの、神社の紋章や神社の名称など、お守りであることを示すものである。本体部１２の大きさの関係上、表示１４は図形によるものが望ましい。
【００２１】
表示１４は、印刷やシール等で施してもよいが、外観と耐久性の点から、浮き出しで形成されるとよい。
【００２２】
図示例の表示１４は、足のお守り１１を授与する神社にお祭りされる天神様が好まれた梅の花をモチーフにしたものである。つまり、表示１４は５枚の花弁が等間隔に円を描いて並んだ模様である。表示１４は本体部１２の円環状をなす表面１２ａの外周と内周の縁から少し離した範囲に形成されている。すなわち、表示１４の中心と貫通穴１３の中心は一致している。表示１４の厚みは本体部１２の厚みよりも薄い。
【００２３】
足のお守り１１は適宜の色に形成され、全体が一色であってもよい。また、表示１４を他の部位の色と違う色にして、表示１４が目立つようにしてもよい。この場合には、図３の（ａ）に示したように、表示１４は合成樹脂の二色成形で形成するのが好ましい。
【００２４】
また、表示１４や、表示１４を含む全体など、足のお守り１１の少なくとも一部に蓄光顔料（図示せず）を含有して、夜間や暗所で光るように構成してもよい。図３の（ｂ）は全体に蓄光顔料を混入した樹脂で形成した足のお守り１１を示している。
【００２５】
つぎに、足のお守り包装体３１について説明する。
【００２６】
図１に示したように足のお守り包装体３１は、台紙３２の表面３２ａに足のお守り１１を保持して構成される。図示は省略するが、足のお守り１１を保持した台紙３２は袋に収納してもよい。
【００２７】
具体的には、台紙３２は硬めの紙を用いて適宜の形状に形成される。図示例では袋に収納することを考慮して台紙３２は四角形に形成している。
【００２８】
台紙３２の表面にはお守りであることを示す「御守」の文字３３や、図示しないが神社の名称などを記載している。台紙３２の裏面には、図示は省略するが、足のお守り１１の由来や使い方などを印刷している。
【００２９】
足のお守り１１は台紙３２から無傷で取り外せるように保持される。具体的には、足のお守り１１は台紙３２の表面に載置され、台紙３２に対して縫い付けられる１本の糸３４で保持される。糸には、木綿などの自然素材のものが用いられる。図示例では、足のお守り１１を２個包装した例を示しており、これら足のお守り１１は、前述したように縦に２個並べて保持される。左右に並べることも、斜めに並べることもできる。
【００３０】
図４の断面図に保持の仕方の概要を示す。すなわち、台紙３２の上に載置された足のお守り１１の、一直線上に並ぶ２カ所の外周縁位置及び２カ所の内周縁位置と、外側に離れた位置の合計１０カ所に、適宜の順で１本の糸３４を通して、足のお守り１１を拘束する。糸３４の端末には結び目３４ａが形成される。
【００３１】
足のお守り包装体３１を開封して足のお守り１１を取り外すときには、糸３４の結び目３４ａをほどいて、又は糸３４を切断して引っ張る。
【００３２】
足のお守り１１は、例えば図５に示したようにして使用される。
【００３３】
すなわち、靴５１の靴紐５２の結びをほどいてから、本体部１２の貫通穴１３に結びをほどいた靴紐５２の一端側を通す。足のお守り１１を靴紐５２に沿って下げて、靴５１における紐穴５３を有する部分５４の表面に重ねてから、靴紐５２を結ぶ。靴紐５２を結ぶことによって足のお守り１１は保持される。
【００３４】
足のお守り１１の取付け位置は、図示例のように最も上に位置する紐穴５３部分であるほか、他の位置の紐穴５３部位に取り付けることもできる。一つの靴５１に複数の足のお守り１１を取り付けてもよい。
【００３５】
足のお守り１１は靴紐５２の紐穴５３から出ている部分において小さいながらもその存在を示す。靴紐５２が紐穴３から出ている部分は、靴５１における良く見える位置である。靴５１が足を保護するものであって、常に足と一体であることと相まって、足の神様のご加護をより良く看取できるようにすることができる。
【００３６】
本体部１２は、靴５１における靴紐５２が通る紐穴５３を有する部分５４に重ねられる大きさであるので付けていても邪魔になることはない。また貫通穴１３は、靴紐５２を挿通するのに相応しい大きさであるので、取付けが容易であり、紐穴５３を有する部分５４に重ねられるように取り付けられるので、たとえ靴紐５２がほどけても不測の脱落を回避できる。
【００３７】
そのうえ、貫通穴１３は本体部１２の中央に形成されており、貫通穴１３は開くことがない構造である。このため、歩行や走行時にたとえ足のお守り１１が他の物と接触して引っかかるようなことがあっても、足のお守り１１の不測の脱落を防止できる。
【００３８】
また本体部１２も貫通穴１３も平面視円形であるので、取付けに際して方向性はないため、向きを気にする必要がなく気軽に付けられる。
【００３９】
足のお守り１１は靴紐５２で結ばれて保持されが、全体が柔軟性を有するので、靴紐５２を強く結んだ場合でも、柔軟に変形して足に負荷がかかることはなく、違和感や痛みのない取付け状態が得られる。
【００４０】
本体部１２の表示１４はお守りであることを示し、ご加護をより感じられるようにするが、前述のように表示１４を浮き出しで形成すると、より荘厳さを表現でき、お守りにふさわしいものとなる。表示１４を合成樹脂の二色成形で形成した場合には、表示１４をより目立たせることができる。蓄光顔料を含有させると、暗所でも存在を示することができる。
【００４１】
前述のように足のお守り１１は靴紐５２に通して取り付けられるので容易には脱落しないが、図６に示したように、貫通穴１３の内側に、靴紐５２と接触して変形する抵抗付与部１５を形成することもできる。すなわち、抵抗付与部１５は貫通穴１３の内側に張り出し中央に穴を有する薄膜状であり、十字形状のスリットが形成されている。
【００４２】
このような抵抗付与部１５を形成すると、結びをほどいた靴紐５２からの足のお守り１１の脱落をも完全に防止できる。
【００４３】
また、足のお守り包装体３１は台紙３２に保持されるが、台紙３２に縫い付ける糸３４で取り付けられるので、単に袋に入れた場合や単に粘着剤で留めた場合、ビニタイで留めた場合と比べて俗っぽさを排除して、御守にふさわしい外観が得られる。そのうえ、糸３４をほどいて台紙３２から外す構成であるので、その作業を通して御守を認識させることができる。
【００４４】
以上の構成はこの考案を実施するための一形態であって、この考案はその他の構成を採用することもできる。
【００４５】
たとえば、足のお守り１１は前述のように靴紐５２に通して取り付けるだけではなく、他の部位に取り付けてもよい。他の部位とは、例えば登山靴などによくみられる靴紐を引っかけるフックや、サンダルやブーツ等にみられるベルト部分のバックルなどがある。このような場合には、図６に示したような抵抗付与部がより有効に作用して不測の脱落を防止できる。
【００４６】
また、本体部や貫通穴の形状は平面視円形に限定されるものではなく、例えば八角形や足形などであってもよい。
【符号の説明】
【００４７】
１１…足のお守り
１２…本体部
１２ａ…表面
１３…貫通穴
１４…表示
１５…抵抗付与部
３１…足のお守り包装体
３２…台紙
３２ａ…表面
３４…糸
５１…靴
５２…靴紐
５３…紐穴
５４…紐穴を有する部分
【図１】
0003234814.tif 000003
【図２】
0003234814.tif 000004
【図３】
0003234814.tif 000005
【図４】
0003234814.tif 000006
【図５】
0003234814.tif 000007
【図６】
0003234814.tif 000008